【手続補正書】
【提出日】平成29年5月15日(2017.5.15)
【手続補正１】
【補正対象書類名】明細書
【補正対象項目名】００１１
【補正方法】変更
【補正の内容】
【００１１】
本発明は、ヒト生物学的パラメータを、ヒトの行動の状態および／または感情の状態と、そして任意選択的に時間的位置と相関付ける方法を提供する。そのような相関関係は、予測された行動の状態および／または感情の状態に基づいて、例えば、活動、製品、サービス等を示唆することによって、個体の生活環境およびライフスタイルの、個体への適合を可能とすることとなる。相関関係がさらに用いられて、好み、ウェルネスニーズおよび要望を含む行動、ならびに／または感情が予測されてよい。フィードバック、アドバイスおよび案内が、そのような相関関係に基づいて、個体に提供されてよい。そのような相関関係はさらに、製品の品質および有効性を標準化若しくは格付けすることを目的とする、ならびに／またはプロモーションおよび販売を目的とする、製品およびサービスのプロバイダならびに産業に有用である。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第６，９１１，３０８号明細書
（特許文献２）  米国特許出願公開第２０１２／００９４３１５号明細書
（特許文献３）  米国特許第９，４４２，１２１号明細書
（特許文献４）  米国特許第９，３１６，６５１号明細書
（特許文献５）  米国特許出願公開第２００８／００３３８１９号明細書
（特許文献６）  米国特許出願公開第２０１０／０１１３８９２号明細書
（特許文献７）  米国特許出願公開第２０１２／００７２２３３号明細書
（特許文献８）  米国特許出願公開第２０１２／０１３０７３２号明細書
（特許文献９）  米国特許第４，４３３，０５１号明細書
（特許文献１０）  米国特許第４，４３６，５８６号明細書
（特許文献１１）  米国特許第４，５９１，５７０号明細書
（特許文献１２）  米国特許第４，８２９，０１０号明細書
（特許文献１３）  米国特許第５，１００，７７７号明細書
（特許文献１４）  米国特許第５，２７０，１６３号明細書
（特許文献１５）  米国特許第５，４７５，０９６号明細書
（特許文献１６）  米国特許第５，７７２，８７４号明細書
（特許文献１７）  米国特許第５，９２５，５１７号明細書
（特許文献１８）  米国特許第５，９１９，３６８号明細書
（特許文献１９）  米国特許第５，９６８，３６７号明細書
（特許文献２０）  米国特許第６，１０３，４７６号明細書
（特許文献２１）  米国特許第６，１０７，６２３号明細書
（特許文献２２）  米国特許第６，１２４，１３７号明細書
（特許文献２３）  米国特許第６，１２７，１３４号明細書
（特許文献２４）  米国特許第６，１５０，０９７号明細書
（特許文献２５）  米国特許第６，２０４，５００号明細書
（特許文献２６）  米国特許第６，２６８，１４４号明細書
（特許文献２７）  米国特許第７，４６８，０３４号明細書
（特許文献２８）  米国特許第８，２００，５２５号明細書
（特許文献２９）  米国特許出願公開第２００３／００４５８２７号明細書
（特許文献３０）  米国特許出願公開第２００３／００８３８２２号明細書
（特許文献３１）  米国特許出願公開第２００４／００１９４３５号明細書
（特許文献３２）  米国特許出願公開第２００９／００４２２０６号明細書
（特許文献３３）  米国特許出願公開第２００９／０１０４６１５号明細書
（特許文献３４）  米国特許出願公開第２０１１／０２２４９１２号明細書
（特許文献３５）  米国特許出願公開第２０１１／０２３０７３２号明細書
（特許文献３６）  米国特許出願公開第２０１２／０３０１８８２号明細書
（特許文献３７）  欧州特許出願公開第０２３２９６７号明細書  
（特許文献３８）  国際公開第１９９６／０１５２７０号
（特許文献３９）  国際公開第２０００／０１１２０８号
（特許文献４０）  国際公開第２０００／０６５４７２号
（特許文献４１）  国際公開第２０１３／０１８０７０号
（非特許文献）
（非特許文献１）  ＣＩＮＧＡ  （２０００）．
（非特許文献２）  Ｌｉｕ  ｅｔ  ａｌ．（Ｉｎｔ．Ｊ．Ｎｕｒｓ  Ｓｔｕｄ  ２０１１  Ｖｏｌ．４８，ｐａｇｅ  ９０４−９１３）．
（非特許文献３）  Ｅｕｒｏｐｅａｎ  Ｓｅａｒｃｈ  Ｒｅｐｏｒｔ；  Ｍａｉｌｅｄ  ２０１６−１２−１５  ｆｏｒ  ＥＰ  Ａｐｐｌｉｃａｔｉｏｎ  Ｎｏ．１４８０１６３９．７
（非特許文献４）  Ｌｅｕｎｇ，Ｙ．Ｆ．，&  Ｃａｖａｌｉｅｒｉ，Ｄ．（２００３）．Ｆｕｎｄａｍｅｎｔａｌｓ  ｏｆ  ｃＤＮＡ  ｍｉｃｒｏａｒｒａｙ  ｄａｔａ  ａｎａｌｙｓｉｓ．ＴＲＥＮＤＳ  ｉｎ  Ｇｅｎｅｔｉｃｓ，１９（１１），６４９．
（非特許文献５）  Ｗｒｉｇｈｔ  ｅｔ  ａｌ．，"Ｐｒｏｔｅｉｎｃｈｉｐ  Ｓｕｒｆａｃｅ  Ｅｎｈａｎｃｅｄ  Ｌａｓｅｒ  Ｄｅｓｏｒｐｔｉｏｎ／Ｉｏｎｉｚａｔｉｏｎ（ＳＥＬＤＩ）Ｍａｓｓ  Ｓｐｅｃｔｒｏｍｅｔｒｙ：  Ａ  Ｎｏｖｅｌ  Ｐｒｏｔｅｉｎ  Ｂｉｏｃｈｉｐ  Ｔｅｃｈｎｏｌｏｇｙ  ｆｏｒ  Ｄｅｔｅｃｔｉｏｎ  ｏｆ  Ｐｒｏｓｔａｔｅ  Ｃａｎｃｅｒ  Ｂｉｏｍａｒｋｅｒｓ  ｉｎ  Ｃｏｍｐｌｅｘ  Ｐｒｏｔｅｉｎ  Ｍｉｘｔｕｒｅｓ"，Ｐｒｏｓｔａｔｅ  Ｃａｎｃｅｒ  ａｎｄ  Ｐｒｏｓｔａｔｉｃ  Ｄｉｓｅａｓｅｓ，２：２６４−７６，１９９９
（非特許文献６）  Ｃｒａｖａｔｔ，Ｂ．Ｆ．，&  Ｓｏｒｅｎｓｅｎ，Ｅ．Ｊ．（２０００）．Ｃｈｅｍｉｃａｌ  ｓｔｒａｔｅｇｉｅｓ  ｆｏｒ  ｔｈｅ  ｇｌｏｂａｌ  ａｎａｌｙｓｉｓ  ｏｆ  ｐｒｏｔｅｉｎ  ｆｕｎｃｔｉｏｎ．Ｃｕｒｒｅｎｔ  ｏｐｉｎｉｏｎ  ｉｎ  ｃｈｅｍｉｃａｌ  ｂｉｏｌｏｇｙ，４（６），６６３−６６８．
（非特許文献７）  Ｇｙｇｉ，Ｓｔｅｖｅｎ  Ｐ．，ｅｔ  ａｌ．"Ｅｖａｌｕａｔｉｏｎ  ｏｆ  ｔｗｏ−ｄｉｍｅｎｓｉｏｎａｌ  ｇｅｌ  ｅｌｅｃｔｒｏｐｈｏｒｅｓｉｓ−ｂａｓｅｄ  ｐｒｏｔｅｏｍｅ  ａｎａｌｙｓｉｓ  ｔｅｃｈｎｏｌｏｇｙ．"Ｐｒｏｃｅｅｄｉｎｇｓ  ｏｆ  ｔｈｅ  Ｎａｔｉｏｎａｌ  Ａｃａｄｅｍｙ  ｏｆ  Ｓｃｉｅｎｃｅｓ  ９７．１７（２０００）：  ９３９０−９３９５．
（非特許文献８）  Ｊａｇａｎｎａｔｈ，Ａａｒｔｉ，ｅｔ  ａｌ．"Ｔｈｅ  ＣＲＴＣ１−ＳＩＫ１  ｐａｔｈｗａｙ  ｒｅｇｕｌａｔｅｓ  ｅｎｔｒａｉｎｍｅｎｔ  ｏｆ  ｔｈｅ  ｃｉｒｃａｄｉａｎ  ｃｌｏｃｋ．"Ｃｅｌｌ  １５４．５（２０１３）：  １１００−１１１１．
（非特許文献９）  Ｐｅｔｔｅｒｓｓｏｎ，Ｅｒｉｋ，Ｊｏａｋｉｍ  Ｌｕｎｄｅｂｅｒｇ，ａｎｄ  Ａｆｓｈｉｎ  Ａｈｍａｄｉａｎ．"Ｇｅｎｅｒａｔｉｏｎｓ  ｏｆ  ｓｅｑｕｅｎｃｉｎｇ  ｔｅｃｈｎｏｌｏｇｉｅｓ．"Ｇｅｎｏｍｉｃｓ  ９３．２（２００９）：  １０５−１１１．
（非特許文献１０）  Ｓｈａｌｏｎ，Ｄａｒｉ，Ｓｔｅｐｈｅｎ  Ｊ．Ｓｍｉｔｈ，ａｎｄ  Ｐａｔｒｉｃｋ  Ｏ．Ｂｒｏｗｎ．"Ａ  ＤＮＡ  ｍｉｃｒｏａｒｒａｙ  ｓｙｓｔｅｍ  ｆｏｒ  ａｎａｌｙｚｉｎｇ  ｃｏｍｐｌｅｘ  ＤＮＡ  ｓａｍｐｌｅｓ  ｕｓｉｎｇ  ｔｗｏ−ｃｏｌｏｒ  ｆｌｕｏｒｅｓｃｅｎｔ  ｐｒｏｂｅ  ｈｙｂｒｉｄｉｚａｔｉｏｎ．"Ｇｅｎｏｍｅ  ｒｅｓｅａｒｃｈ  ６．７（１９９６）：  ６３９−６４５．
（非特許文献１１）  Ｂｒｏｗｎ，Ｐａｔｒｉｃｋ  Ｏ．"Ｑｕａｎｔｉｔａｔｉｖｅ  Ｍｏｎｉｔｏｒｉｎｇ  ｏｆ  Ｇｅｎｅ  Ｅｘｐｒｅｓｓｉｏｎ  Ｐａｔｔｅｒｎｓ  ｗｉｔｈ  ａ  Ｃｏｍｐｌｅｍｅｎｔａｒｙ  ＤＮＡ  Ｍｉｃｒｏａｒｒａｙ．"ＳＣＩＥＮＣＥ  ２７０（１９９５）：  ４６７．
（非特許文献１２）  Ｐｅａｓｅ，Ａ．Ｃａｖｉａｎｉ，ｅｔ  ａｌ．"Ｌｉｇｈｔ−ｇｅｎｅｒａｔｅｄ  ｏｌｉｇｏｎｕｃｌｅｏｔｉｄｅ  ａｒｒａｙｓ  ｆｏｒ  ｒａｐｉｄ  ＤＮＡ  ｓｅｑｕｅｎｃｅ  ａｎａｌｙｓｉｓ．"Ｐｒｏｃｅｅｄｉｎｇｓ  ｏｆ  ｔｈｅ  Ｎａｔｉｏｎａｌ  Ａｃａｄｅｍｙ  ｏｆ  Ｓｃｉｅｎｃｅｓ  ９１．１１（１９９４）：  ５０２２−５０２６．
（非特許文献１３）  Ｓａｉｋｉ，Ｒａｎｄａｌｌ  Ｋ．，ｅｔ  ａｌ．"Ｅｎｚｙｍａｔｉｃ  ａｍｐｌｉｆｉｃａｔｉｏｎ  ｏｆ  ｂｅｔａ−ｇｌｏｂｉｎ  ｇｅｎｏｍｉｃ  ｓｅｑｕｅｎｃｅｓ  ａｎｄ  ｒｅｓｔｒｉｃｔｉｏｎ  ｓｉｔｅ  ａｎａｌｙｓｉｓ  ｆｏｒ  ｄｉａｇｎｏｓｉｓ  ｏｆ  ｓｉｃｋｌｅ  ｃｅｌｌ  ａｎｅｍｉａ．"Ｓｃｉｅｎｃｅ  ２３０．４７３２（１９８５）：  １３５０−１３５４．
（非特許文献１４）  Ｅｂｓｔｅｉｎ，Ｒｉｃｈａｒｄ  Ｐ．，ｅｔ  ａｌ．"Ｇｅｎｅｔｉｃｓ  ｏｆ  Ｈｕｍａｎ  Ｓｏｃｉａｌ  Ｂｅｈａｖｉｏｒ．"  Ｎｅｕｒｏｎ  ６５（２０１０）．
（非特許文献１５）  Ｎｏｒｔｈｅｎ，Ｔｒｅｎｔ  Ｒ．，ｅｔ  ａｌ．"Ｃｌａｔｈｒａｔｅ  ｎａｎｏｓｔｒｕｃｔｕｒｅｓ  ｆｏｒ  ｍａｓｓ  ｓｐｅｃｔｒｏｍｅｔｒｙ．"Ｎａｔｕｒｅ  ４４９．７１６５（２００７）：  １０３３−１０３６．
（非特許文献１６）  Ｂｏｕａｔｒａ，Ｓｏｕｈａｉｌａ，ｅｔ  ａｌ．"Ｔｈｅ  ｈｕｍａｎ  ｕｒｉｎｅ  ｍｅｔａｂｏｌｏｍｅ．"ＰｌｏＳ  ｏｎｅ  ８．９（２０１３）：  ｅ７３０７６．
（非特許文献１７）  Ｋａｎｄｅｌ，Ｄｅｎｉｓｅ  Ｂ．，ｅｔ  ａｌ．"Ｕｒｉｎｅ  ｎｉｃｏｔｉｎｅ  ｍｅｔａｂｏｌｉｔｅｓ  ａｎｄ  ｓｍｏｋｉｎｇ  ｂｅｈａｖｉｏｒ  ｉｎ  ａ  ｍｕｌｔｉｒａｃｉａｌ／ｍｕｌｔｉｅｔｈｎｉｃ  ｎａｔｉｏｎａｌ  ｓａｍｐｌｅ  ｏｆ  ｙｏｕｎｇ  ａｄｕｌｔｓ．"Ａｍｅｒｉｃａｎ  Ｊｏｕｒｎａｌ  ｏｆ  Ｅｐｉｄｅｍｉｏｌｏｇｙ  １６５．８（２００７）：  ９０１−９１０．
（非特許文献１８）  "Ｇｕｔ  ｆｅｅｌｉｎｇｓ：  ｔｈｅ  ｆｕｔｕｒｅ  ｏｆ  ｐｓｙｃｈｉａｔｒｙ  ｍａｙ  ｂｅ  ｉｎｓｉｄｅ  ｙｏｕｒ  ｓｔｏｍａｃｈ，"ａｖａｉｌａｂｌｅ  ａｔ  ｈｔｔｐ：／／ｗｗｗ．ｔｈｅｖｅｒｇｅ．ｃｏｍ／２０１３／８／１２／４５９５７１２／ｇｕｔ−ｆｅｅｌｉｎｇｓ−ｔｈｅ−ｆｕｔｕｒｅ−ｏｆ−ｐｓｙｃｈｉａｔｒｙ−ｍａｙ−ｂｅｉｎｓｉｄｅ−ｙｏｕｒ−ｓｔｏｍａｃｈ
（非特許文献１９）  Ｘｉａ，Ｆａｎ，ｅｔ  ａｌ．"Ｃｏｌｏｒｉｍｅｔｒｉｃ  ｄｅｔｅｃｔｉｏｎ  ｏｆ  ＤＮＡ，ｓｍａｌｌ  ｍｏｌｅｃｕｌｅｓ，ｐｒｏｔｅｉｎｓ，ａｎｄ  ｉｏｎｓ  ｕｓｉｎｇ  ｕｎｍｏｄｉｆｉｅｄ  ｇｏｌｄ  ｎａｎｏｐａｒｔｉｃｌｅｓ  ａｎｄ  ｃｏｎｊｕｇａｔｅｄ  ｐｏｌｙｅｌｅｃｔｒｏｌｙｔｅｓ．"ＰＮＡＳ  １０７．２４（２０１０）：  １０８３７−１０８４１．
（非特許文献２０）  Ｏｐｐｏｒｔｕｎｉｔｉｅｓ  ｉｎ  Ｎｅｕｒｏｓｃｉｅｎｃｅ  ｆｏｒ  Ｆｕｔｕｒｅ  Ａｒｍｙ  Ａｐｐｌｉｃａｔｉｏｎｓ（２００９）Ｂｏａｒｄ  ｏｎ  Ａｒｍｙ  Ｓｃｉｅｎｃｅ  ａｎｄ  Ｔｅｃｈｎｏｌｏｇｙ（ＢＡＳＴ），Ｃｏｍｍｉｔｔｅｅ  ｏｎ  Ｏｐｐｏｒｔｕｎｉｔｉｅｓ  ｉｎ  Ｎｅｕｒｏｓｃｉｅｎｃｅ  ｆｏｒ  Ｆｕｔｕｒｅ  Ａｒｍｙ  Ａｐｐｌｉｃａｔｉｏｎｓ；  Ｄｉｖｉｓｉｏｎ  ｏｎ  Ｅｎｇｉｎｅｅｒｉｎｇ  ａｎｄ  Ｐｈｙｓｉｃａｌ  Ｓｃｉｅｎｃｅｓ；  ＮＡＴＩＯＮＡＬ  ＲＥＳＥＡＲＣＨ  ＣＯＵＮＣＩＬ  ＯＦ  ＴＨＥ  ＮＡＴＩＯＮＡＬ  ＡＣＡＤＥＭＩＥＳ，ＴＨＥ  ＮＡＴＩＯＮＡＬ  ＡＣＡＤＥＭＩＥＳ  ＰＲＥＳＳ，Ｗａｓｈｉｎｇｔｏｎ，Ｄ．Ｃ．ｗｗｗ．ｎａｐ．ｅｄｕ
（非特許文献２１）  Ｇｒｅｅｎｆｉｅｌｄｂｏｙｃｅ，Ｎ．，"Ｆａｔ  Ｂａｃｔｅｒｉａ  ｉｎ  Ｈｕｍａｎ  Ｇｕｔｓ  Ｔｉｅｄ  ｔｏ  Ｏｂｅｓｉｔｙ，"Ｄｅｃｅｍｂｅｒ  ２０，２００６；  Ｒｅｔｒｉｅｖｅｄ  ｆｒｏｍ  ｈｔｔｐ：／／ｗｗｗ．  ｎｐｒ．ｏｒｇ／ｔｅｍｐｌａｔｅｓ／ｓｔｏｒｙ／ｓｔｏｒｙ．ｐｈｐ？ｓｔｏｒｙｌｄ＝６６５４６０７
（非特許文献２２）  Ｚｈａｎｇ，Ｙｉａｎ−Ｂｉａｏ，ｅｔ  ａｌ．"Ｆｕｎｃｔｉｏｎａｌｉｚｅｄ  Ｃａｒｂｏｎ  Ｎａｎｏｔｕｂｅｓ  ｆｏｒ  Ｄｅｔｅｃｔｉｎｇ  Ｖｉｒａｌ  Ｐｒｏｔｅｉｎｓ．"Ｎａｎｏ  Ｌｅｔｔ  ７．１０（２００７）：  ３０８７．
（非特許文献２３）  Ｃｒａｖａｔｔ，Ｂ．Ｆ．，&  Ｓｏｒｅｎｓｅｎ，Ｅ．Ｊ．（２０００）．Ｃｈｅｍｉｃａｌ  ｓｔｒａｔｅｇｉｅｓ  ｆｏｒ  ｔｈｅ  ｇｌｏｂａｌ  ａｎａｌｙｓｉｓ  ｏｆ  ｐｒｏｔｅｉｎ  ｆｕｎｃｔｉｏｎ．Ｃｕｒｒｅｎｔ  ｏｐｉｎｉｏｎ  ｉｎ  ｃｈｅｍｉｃａｌ  ｂｉｏｌｏｇｙ，４（６），６６３−６６８．
（非特許文献２４）  Ｄｅ  Ｒｕｉｔｅｒ，Ｊ．Ｒ．，"Ｇｅｎｅｔｉｃ  Ｍａｒｋｅｒｓ  ｉｎ  Ｐｒｉｍａｔｅ  Ｓｔｕｄｉｅｓ：  Ｅｌｕｃｉｄａｔｉｎｇ  Ｂｅｈａｖｉｏｒ  ａｎｄ  ｉｔｓ  Ｅｖｏｌｕｔｉｏｎ，"Ｉｎｔｅｒｎａｔｉｏｎａｌ  Ｊｏｕｒｎａｌ  ｏｆ  Ｐｒｉｍａｔｏｌｏｇｙ，２５（５），（２００４）．ｐｐ．１１７３−１１８９．